(57)【要約】【課題】画像ファイルが破損しても簡単にリカバリーを行うことができるハードディスクレコーダと、そのファイルバックシステムを提供する。【解決手段】ＨＤレコーダ１のハードディスクに保存した画像ファイルを、バックアップ用画像ファイルとしてＬＡＮ３０を通じて定期的にサーバ１０へ送信し、サーバ１０に保存する。ＨＤレコーダ１のハードディスクの画像ファイルが破損した場合は、リカバリースイッチを押してバックアップ用画像ファイルをサーバ１０から取得し、これをＨＤレコーダ１のハードディスクへ格納することにより、破損した画像ファイルを簡単に復元することができる。【選択図】　　図１
2004021634.tif 000002
【特許請求の範囲】
【請求項１】
ハードディスクを内蔵し、外部から受信した画像データを前記ハードディスクに画像ファイルとして保存するとともに、保存した画像データを読み出して再生する機能を備えたハードディスクレコーダにおいて、
破損された画像ファイルを復元させる場合に操作されるリカバリースイッチと、
前記リカバリースイッチが操作されたときに、画像ファイルが破損されたことを示すエラーコードを通信回線を通じてサーバへ送信する送信部と、
前記エラーコードに基づいてサーバが送信したバックアップ用画像ファイルを前記通信回線を通じて受信する受信部と、を備え、
ハードディスクに保存した画像ファイルを、バックアップ用画像ファイルとして前記送信部から通信回線を通じて定期的にサーバへ送信するとともに、
ハードディスクに保存した画像ファイルが破損したときに、前記受信部がサーバから受信したバックアップ用画像ファイルをハードディスクへ格納することを特徴とするハードディスクレコーダ。
【請求項２】
ハードディスクを内蔵し、外部から受信した画像データを前記ハードディスクに画像ファイルとして保存するとともに、保存した画像データを読み出して再生する機能を備えたハードディスクレコーダにおいて、
ハードディスクに保存した画像ファイルを、バックアップ用画像ファイルとして通信回線を通じてサーバへ送信するとともに、
ハードディスクに保存した画像ファイルが破損したときに、前記サーバから受信したバックアップ用画像ファイルをハードディスクへ格納することを特徴とするハードディスクレコーダ。
【請求項３】
請求項２に記載のハードディスクレコーダにおいて、
破損された画像ファイルを復元させる場合に操作されるリカバリースイッチを備え、このリカバリースイッチが操作されたときに、画像ファイルが破損されたことを示すエラーコードを通信回線を通じてサーバへ送信することを特徴とするハードディスクレコーダ。
【請求項４】
ハードディスクを内蔵し、外部から受信した画像データを前記ハードディスクに画像ファイルとして保存するとともに、保存した画像データを読み出して再生する機能を備えたハードディスクレコーダと、このハードディスクレコーダと通信回線により接続されたサーバとを備えたハードディスクレコーダのファイルバックアップシステムであって、
前記ハードディスクレコーダは、ハードディスクに保存した画像ファイルを通信回線を通じてサーバへ送信し、
前記サーバは、ハードディスクレコーダから受信した前記画像ファイルをバックアップ用画像ファイルとして保存し、
前記ハードディスクレコーダは、ハードディスクに保存した画像ファイルが破損したときに、画像ファイルの破損をサーバへ通知し、
前記サーバは、画像ファイルの破損の通知を受信したことに基づいて、バックアップ用画像ファイルを通信回線を通じてハードディスクレコーダへ送信し、
前記ハードディスクレコーダは、前記サーバから受信したバックアップ用画像ファイルをハードディスクへ格納することを特徴とするハードディスクレコーダのファイルバックアップシステム。
【請求項５】
請求項４に記載のファイルバックアップシステムにおいて、
前記サーバは、ハードディスクレコーダから送信されてきた画像ファイルのうち、保存済みのバックアップ用画像ファイル以外の画像ファイルのみを保存することを特徴とするハードディスクレコーダのファイルバックアップシステム。
【請求項６】
請求項４に記載のファイルバックアップシステムにおいて、
前記ハードディスクレコーダは、ハードディスクに保存した画像ファイルのうちバックアップを指定された画像ファイルのみを通信回線を通じてサーバへ送信し、
前記サーバは、バックアップを指定された画像ファイルのみを保存することを特徴とするハードディスクレコーダのファイルバックアップシステム。
【発明の詳細な説明】
【０００１】
【発明の属する技術分野】
本発明は、外部から受信した画像データをハードディスクに記録するハードディスクレコーダに関し、また、そのようなハードディスクレコーダのファイルバックアップシステムに関するものである。
【０００２】
【従来の技術】
従来、テレビ番組などを録画する機器としては、ＶＴＲ（ビデオテープレコーダ）が一般的であったが、最近では大容量のハードディスクを内蔵したハードディスクレコーダが登場している。ＶＴＲの場合は、アナログ信号をテープに記録するため、録画した映像を再生する場合に画質が劣化したり、編集作業が非常にやりにくいという欠点がある。これに対して、ハードディスクレコーダの場合は、映像信号をデジタル化してハードディスクに記録するため、再生される映像は極めて鮮明で画質の劣化もなく、また編集作業を自由に行うことができる。
【０００３】
【発明が解決しようとする課題】
ところで、ハードディスクレコーダにおいては、ファイルシステムの故障等によりハードディスクに保存されている画像ファイルが破損する場合がある。このようなファイルの破損が生じると、録画した映像を再生できなくなってしまう。しかるに、従来のハードディスクレコーダは、破損したファイルの復元を行うリカバリー機能を備えていないために、ファイルが破損した場合、ユーザーはメーカーのサービスセンタ等へリカバリーの依頼をしなければならず、大変不便であった。
【０００４】
そこで、ファイルが破損した場合に備えて、ファイルのバックアップをとることが考えられる。特開平６−８３６８５号公報や特開平８−６３３７９号公報には、パーソナルコンピュータやワークステーションで行われているファイルのバックアップに関する技術が記載されている。しかしながら、ハードディスクレコーダでバックアップをとるには、録画のたびにバックアップ用の記録媒体を用意して所定の操作を行わなければならず、非常に面倒である。また、特開平２−９１７１７号公報のように、ハードディスクを２重化することで自動的にバックアップをとることも考えられるが、これによるとハードディスクが２台必要となって、コスト高になる。
【０００５】
本発明は、上記問題点を解決するものであって、その課題とするところは、画像ファイルが破損しても簡単にリカバリーを行うことができるハードディスクレコーダと、そのファイルバックシステムを提供することにある。
【０００６】
【課題を解決するための手段】
本発明は、ハードディスクに保存した画像ファイルを、バックアップ用画像ファイルとして通信回線を通じてサーバへ送信するとともに、ハードディスクに保存した画像ファイルが破損したときに、サーバから受信したバックアップ用画像ファイルをハードディスクへ格納するようにしたものである。
【０００７】
このようにすることで、ハードディスクに保存した画像ファイルはサーバにバックアップされるため、ハードディスクの画像ファイルが破損しても、サーバからバックアップファイルを取得することができ、これによって破損したファイルを復元させることができる。そして、ファイルのバックアップは自動で行われるため、録画の都度バックアップを行う必要がなく、また、サーバ側でバックアップを行うため、レコーダ側ではハードディスクの２重化の必要がなく、安価に実現することができる。
【０００８】
サーバからバックアップファイルを取得するために、本発明のハードディスクレコーダは、破損された画像ファイルを復元させる場合に操作されるリカバリースイッチを備える。このリカバリースイッチを操作すると、画像ファイルが破損されたことが通信回線を通じてサーバへ通知され、サーバはこの通知を受けて、予め保存してあるバックアップ用画像ファイルをハードディスクレコーダへ送信する。ハードディスクレコーダでは、このバックアップ用画像ファイルをハードディスクへ格納する。こうして、リカバリースイッチを操作するだけで、サーバからバックアップファイルを取得して、破損されたファイルを簡単に復元することができる。
【０００９】
本発明のシステムでは、サーバにおいて、ハードディスクレコーダから送信されてきた画像ファイルのうち、保存済みのバックアップ用画像ファイル以外の画像ファイルのみを保存することが好ましい。これによると、サーバ側では必要なファイルのみをバックアップ用に保存することができるため、記憶装置の容量が無制限に増大するのを抑制することができる。
【００１０】
また、本発明のシステムでは、ハードディスクレコーダが、バックアップを指定された画像ファイルのみを通信回線を通じてサーバへ送信し、サーバ側では、バックアップを指定された画像ファイルのみを保存するようにしてもよい。この場合も、サーバでは必要なファイルのみをバックアップすればよいため、記憶装置の容量が無制限に増大するのを抑制することができる。
【００１１】
【発明の実施の形態】
図１は、本発明の第１実施形態に係るシステムを示した全体構成図である。本実施形態は、マンションＭのような比較的限られたエリア内でシステムを構成した例である。１はハードディスクレコーダ（以下、「ＨＤレコーダ」と記す）であって、マンションＭの各戸に備えられている。１０はサーバであって、マンションＭのたとえば管理人室に備えられている。マンションＭには通信回線としてＬＡＮ（Ｌｏｃａｌ　Ａｒｅａ　Ｎｅｔｗｏｒｋ）３０が敷設されており、各ＨＤレコーダ１とサーバ１０とはこのＬＡＮ３０によって結ばれている。
【００１２】
図２は、ＨＤレコーダ１の電気的構成を示したブロック図である。１１は、上述したＬＡＮ３０に接続されてサーバ１０と通信を行う通信部であって、この通信部は送信部および受信部を構成する。１２はＣＰＵやメモリ（ＲＯＭ、ＲＡＭ）から構成される制御部であって、ＨＤレコーダ１の動作を制御する。この制御部１２のメモリには、故障モードに応じたエラーコードが予め設定されている。１３はＡ／Ｄ変換器であって、外部の受信機から入力されるアナログの映像信号をデジタル信号に変換する。１４はエンコーダであって、Ａ／Ｄ変換されたデジタル信号をＭＰＥＧ２（Ｍｏｖｉｎｇ　Ｐｉｃｔｕｒｅ　Ｅｘｐｅｒｔｓ　Ｇｒｏｕｐ　Ｐｈａｓｅ２）形式の圧縮された画像ファイルに変換する。１５はエンコーダ１４で生成された画像ファイルを格納するハードディスクであって、４０ＧＢ〜８０ＧＢ程度の記憶容量を有している。１６はデコーダであって、再生時にハードディスク１５から読み出されたＭＰＥＧ２形式の画像ファイルを通常のデジタル映像信号に変換する。１７はＤ／Ａ変換器であって、デコーダ１６で生成されたデジタル映像信号をアナログ映像信号に変換してテレビジョン受像機へ送出する。
【００１３】
１８はＨＤレコーダ１のフロントパネルに設けられた操作部であって、この操作部１８には、図示しない既存の操作スイッチのほか、破損された画像ファイルを復元させる場合に操作するリカバリースイッチ１９が設けられている。２０はＨＤレコーダ１のフロントパネルに設けられたリモコン受信部であって、遠隔操作用のリモコン２１から送信される赤外線信号２４を受光する受光部（図示省略）を備えている。２２はＨＤレコーダ１のフロントパネルに設けられた表示部であって、液晶表示器や表示ランプ等から構成される。
【００１４】
図３は、サーバ１０の電気的構成を示したブロック図である。３１は通信部であって、前述したＬＡＮ３０に接続されてＨＤレコーダ１と送受信を行う。３２はＣＰＵやメモリ（ＲＯＭ、ＲＡＭ）から構成される制御部であって、サーバ１０の動作を制御する。３３、３４は大容量記憶装置を構成するハードディスクであって、各ＨＤレコーダ１のバックアップ用画像ファイルを保存する。ここでは、２台のハードディスク３３、３４が設けられているが、必要に応じて３台以上のハードディスクを設けることもできる。
【００１５】
図４は、ハードディスク３３、３４の記録内容をテーブルで示した図である。ハードディスク３３、３４には、各ユーザーＡ，Ｂ，Ｃ，…ごとに所定容量の保存エリアが割り当てられており、それぞれの保存エリアには、各ユーザーのＨＤレコーダ１から収集したバックアップ用画像ファイルａ１，ａ２，ａ３…、ｂ１，ｂ２，ｂ３…、ｃ１，ｃ２，ｃ３…が保存されている。各ＨＤレコーダ１は、それらのハードディスク１５に保存されている画像ファイルをＬＡＮ３０を通じて、定期的に（１回／週、１回／月など）サーバ１０へ送信し、サーバ１０は受信した画像ファイルをバックアップ用画像ファイルとしてハードディスク３３、３４に保存する。この場合、サーバ１０では、ＨＤレコーダ１から画像ファイルが送信されて来ると、この画像ファイルと、ハードディスク３３、３４にすでに保存されているバックアップ用画像ファイルとを照合し、保存済みのバックアップ用画像ファイル以外の画像ファイルのみをハードディスク３３、３４に保存する。
【００１６】
次に、上記構成からなるファイルバックアップシステムの動作を説明する。図５は、この動作を表したフローチャートであって、ＨＤレコーダ１とサーバ１０における各制御部１２，３２が実行するリカバリー時の処理手順を示している。ＨＤレコーダ１において、リカバリースイッチ１９（図２）が押されたか否かを監視し（ステップＳ１）、リカバリースイッチ１９が押されると（ステップＳ１：ＹＥＳ）、制御部１２は画像ファイルが破損されたことを示すエラーコードをメモリから読み出して、これを通信部１１へ送る。このエラーコードは、通信部１１からＬＡＮ３０を通じてサーバ１０へ送信され（ステップＳ２）、画像ファイルの破損がサーバ１０へ通知される。なお、このエラーコードとともに、各ＨＤレコーダ１に設定されているユーザーＩＤも通信部１１からＬＡＮ３０を通じてサーバ１０へ送信される。
【００１７】
サーバ１０では、ＨＤレコーダ１からエラーコードを受信したか否かを監視している（ステップＳ３）。そして、エラーコードを受信すると（ステップＳ３：ＹＥＳ）、そのエラーコードを判読して故障モードを診断し（ステップＳ４）、画像ファイルが破損したか否かを判定する（ステップＳ５）。その結果、ＨＤレコーダ１の画像ファイルが破損したと判定されれば（ステップＳ５：ＹＥＳ）、ユーザーＩＤに基づいてハードディスク３３，３４の該当エリアからバックアップ用画像ファイル（図４）を読み出し（ステップＳ６）、このバックアップ用画像ファイルを通信部３１からＬＡＮ３０を通じて、ＨＤレコーダ１へ送信する（ステップＳ７）。また、故障モードの診断の結果、画像ファイルの破損ではないときは（ステップＳ５：ＮＯ）、リカバリー処理は行わず他のエラー処理を行う。
【００１８】
ＨＤレコーダ１では、サーバ１０からバックアップ用画像ファイルが送信されて来るのを待機しており（ステップＳ８）、通信部１１がＬＡＮ３０を通じてバックアップ用画像ファイルを受信すると（ステップＳ８：ＹＥＳ）、制御部１２はこの画像ファイルをハードディスク１５へ格納する（ステップＳ９）。そして、格納が終了すると、リカバリーが完了したことを表示部２２にメッセージあるいはランプ点灯等により表示して処理を終了する（ステップＳ１０）。
【００１９】
以上のようにして、ＨＤレコーダ１のハードディスク１５に保存した画像ファイルを、バックアップ用画像ファイルとしてＬＡＮ３０を通じて定期的にサーバ１０へ送信し、ハードディスク１５の画像ファイルが破損した場合に、リカバリースイッチ１９を押してバックアップ用画像ファイルをサーバ１０から取得し、これをハードディスク１５へ格納することにより、破損した画像ファイルを簡単に復元することができる。そして、ファイルのバックアップは定期的に自動で行われるため、録画の都度バックアップを行う必要がなく、また、サーバ１０側でバックアップを行うため、ＨＤレコーダ１側ではハードディスクを２重化する必要もない。さらに、サーバ１０では、ＨＤレコーダ１から送信されてきた画像ファイルのうち未保存の画像ファイルのみを保存するので、ハードディスク３３，３４の容量が無制限に増大するのを抑制することができる。なお、ハードディスク３３，３４における各ユーザーごとの保存エリアが満杯になった場合は、サーバ１０からＬＡＮ３０を通じてその旨をＨＤレコーダ１へ通知し、ＨＤレコーダ１の表示部２２に保存エリア満杯のメッセージを表示すればよい。また、その後バックアップを継続する場合は、保存エリアに保存されている画像ファイルを古いものから順に消去してゆけばよい。
【００２０】
図６は、本発明の第２実施形態に係るシステムを示した全体構成図である。本実施形態は、インターネットを利用して広範囲なユーザーにファイルバックアップのサービスを提供するシステムを構成した例である。図６において、１は図１に示したものと同じＨＤレコーダであって、図２の構成を備えている。５０は図１に示したサーバ１０よりも更に大容量のサーバであって、その構成は基本的に図３と同じである。４０はＡＤＳＬ（Ａｓｙｍｍｅｔｒｉｃ　Ｄｉｇｉｔａｌ　Ｓｕｂｓｃｒｉｂｅｒ　Ｌｉｎｅ）やＩＳＤＮ（Ｉｎｔｅｇｒａｔｅｄ　Ｓｅｒｖｉｃｅｓ　Ｄｉｇｉｔａｌ　Ｎｅｔｗｏｒｋ）等の通信回線、４１はインターネットであって、各ＨＤレコーダ１とサーバ５０とは、通信回線４０およびインターネット４１を介して結ばれている。なお、通信回線４０としては専用回線を用いてもよい。
【００２１】
図６のシステムでは、各ＨＤレコーダ１はユーザーの自宅に設置され、サーバ５０はファイルバックアップのサービスを行うサービス会社に設置される。ユーザーはサービス会社とバックアップサービスの契約を締結して会員となり、所定の会費をサービス会社に支払うことでバックアップサービスを受ける。図６のシステムの動作は、図５で説明したものと全く同じであり、各ＨＤレコーダ１のハードディスク１５に保存した画像ファイルを通信回線４０およびインターネット４１を通じて定期的にサーバ５０へ送信し、画像ファイルが破損した場合は、リカバリースイッチ１９を押してサーバ５０からバックアップ用画像ファイルを取得してハードディスク１５へ格納する。本システムによると、インターネット４１を利用して広範囲なユーザーにファイルバックアップのサービスを提供することができる。また、サービス会社は会員を募集して会費を徴収することで利益を得ることができ、新規な事業形態を構築することができる。
【００２２】
以上の各実施形態では、ＨＤレコーダ１のハードディスク１５に保存した画像ファイルを通信回線を通じて定期的にサーバ１０，５０へ送信する例を示したが、画像ファイルは必ずしも定期的に送信する必要はなく、ＨＤレコーダ１側の操作により任意の時点でサーバ１０，５０へ送信するようにしてもよい。また、画像ファイルを定期的に送信する場合は、送信の頻度（１回／週、１回／月など）を操作部１８で設定できるようにしてもよい。
【００２３】
また、ＨＤレコーダ１のハードディスクに保存した画像ファイルのうち、バックアップを指定された画像ファイルのみを通信回線を通じてサーバ１０，５０へ送信するようにしてもよい。この場合は、図７に示すように、ＨＤレコーダ１の操作部１８にバックアップ指定スイッチ２５を設け、録画時にこのスイッチ２５を押すことで画像ファイルのバックアップを指定できるようにすればよい。
【００２４】
また、上記実施形態では、リカバリースイッチ１９をＨＤレコーダ１に設けた例を示したが、リカバリースイッチ１９はリモコン２１側に設けてもよい。同様に、上述したバックアップ指定スイッチ２５もリモコン２１側に設けることが可能である。
【００２５】
【発明の効果】
本発明によれば、ハードディスクレコーダに保存した画像ファイルをサーバでバックアップするので、画像ファイルが破損してもサーバからバックアップファイルを取得して、破損ファイルを簡単に復元することができる。また、バックアップが自動で行われるため、録画の都度バックアップを行う必要がなく、レコーダ側にハードディスクの２重化の必要もないため、安価に実現することができる。
【図面の簡単な説明】
【図１】本発明の第１実施形態に係るシステムを示した全体構成図である。
【図２】ハードディスクレコーダの電気的構成を示したブロック図である。
【図３】サーバの電気的構成を示したブロック図である。
【図４】サーバ側のハードディスクの記録内容をテーブルで示した図である。
【図５】本発明のファイルバックアップシステムの動作を表したフローチャートである。
【図６】本発明の第２実施形態に係るシステムを示した全体構成図である。
【図７】ハードディスクレコーダの他の例を示すブロック図である。
【符号の説明】
１　　ハードディスクレコーダ
１０　サーバ
１１　通信部（送信部、受信部）
１２　制御部
１５　ハードディスク
１９　リカバリースイッチ
２５　バックアップ指定スイッチ
３０　ＬＡＮ（通信回線）
３１　通信部
３２　制御部
３３、３４　ハードディスク
４０　通信回線
４１　インターネット
５０　サーバ
ａ１，ａ２，ａ３　バックアップ用画像ファイル
ｂ１，ｂ２，ｂ３　バックアップ用画像ファイル
ｃ１，ｃ２，ｃ３　バックアップ用画像ファイル
【図１】
2004021634.tif 000003
【図２】
2004021634.tif 000004
【図３】
2004021634.tif 000005
【図４】
2004021634.tif 000006
【図５】
2004021634.tif 000007
【図６】
2004021634.tif 000008
【図７】
2004021634.tif 000009